(57)【要約】  本発明は，Ｕ字溝形状のベース形材（１）と，嵌め込み結合により前記ベース形材（１）に組み込むことができるカバー形材（２）と，で形成され，ベース形材（１）同士を側面結合により結合させることにより所望のマットの大きさに拡張できるモジュール式マットに関する。【特許請求の範囲】
【請求項１】
互いに結合させることができる部分組立品（ｐａｒａｔｉａｌ  ａｓｓｅｍｂｌｉｅｓ  ｏｆ  ｅｌｅｍｅｎｔｓ）によって形成されるタイプのモジュール式マットであって，各組立品が，
Ｕ字溝形状のベース形材（１）と，
嵌め込み結合により前記ベース形材（１）に組み込まれるカバー形材（２）と，
からなり，
前記カバー形材（２）が，粗い表面を特徴とする又は何らかの種類の突起を有する弾性材表面（３）を備えていることを特徴とするモジュール式マット。
【請求項２】
前記ベース形材（１）が，内側に向けて折れた又は厚みを持たせた上縁（１．１）を形成し，
前記カバー形材（２）が，下面にジグザグ形のピン又はフランジ（２．１）を有し，
前記ベース形材（１）と前記カバー形材（２）との組立品において，前記ピン又はフランジ（２．１）が前記上縁（１．１）に対してスナップ式に固定されることを特徴とする請求項１に記載のモジュール式マット。
【請求項３】
前記カバー形材（２）が，さらにピン又はフランジ（２．２）を有し，
前記ベース形材（１）と前記カバー形材（２）との組立品において前記カバー形材（２）が前記ベース形材（１）の底で前記ピン又はフランジ（２．２）によって支持されることを特徴とする請求項１又は２に記載のモジュール式マット。
【請求項４】
前記ベース形材（１）は，相対応する形状を有する形状部（４及び５）を両側に有し，
複数の前記ベース形材（１）を連続して結合することにより，マット構造の幅を構成することができることを特徴とする請求項１に記載のモジュール式マット。
【請求項５】
前記形状部（４及び５）が係合式の結合に対応した形状を有することを特徴とする，請求項４に記載のモジュール式マット。
【請求項６】
前記形状部（４及び５）がスナップ式の結合に対応した形状を有することを特徴とする，請求項４に記載のモジュール式マット。
【請求項７】
衝撃吸収シート（６）が前記組立品の下に配置され，
前記衝撃吸収シート（６）上に前記マット構造が支持され，
前記衝撃吸収シート（６）が，構成部品である複数の前記ベース形材（１）間の結合を確実なものにすることを特徴とする，請求項１又は４に記載のモジュール式マット。
【請求項８】
前記ベース形材（１）は，２つの前記ベース形材（１）間の間隔によって決定される長さを有する係合用形状部（４及び５）を両側に有し，
前記係合用形状部（４及び５）は，前記ベース形材（１）の内部空洞の幅になるように結合することによって，対応する前記カバー形材（２）を，各前記ベース形材（１）及び前記ベース形材（１）と前記ベース形材（１）とを隔てる隙間に嵌め込めるようにして，連続したマット表面を作り出すことを特徴とする，請求項１又は４に記載のモジュール式マット。
【発明の詳細な説明】
【技術分野】
【０００１】
本発明は，履物の底の汚れを落とすために床に設置するマットとよばれる製品に関し，人の出入りが多い場所に設置するのに非常に適したモジュラー式組立品の態様を提案する。
【背景技術】
【０００２】
外部空間から屋内の囲まれた空間への入口又は通路といった場所では，通常，通行人の履物の底の汚れを落とすためのマットと呼ばれる加工品を置いて，履物が屋内の床を汚すことを防止している。
【０００３】
このため，床の表面に配置されるフロアーマットという加工品を使用することは，例えば，民間住宅や人の出入りが少ない場所では，コストパフォーマンスの良さ及び簡易さからその利用が実用的である場合もある。しかしながら，この種の加工品は広い場所や人の出入りが多い場所には適さない。というのは，その特性から，広い表面を効果的に覆うことには適しておらず，さらに，複数の利用者による使用によって，これらのマットは設置された場所の表面で移動してしまうためである。
【０００４】
使用による移動の問題を解決するために固定化による解決策が開発されたが，掃除のための又は劣化により交換が必要になった場合のマットの除去が困難であるばかりか，費用の増加及び導入の困難につながる。
【０００５】
拡張の問題を解決するためにモジュラー式による解決策及び結合による組立品が開発されたが，この点で知られている実施形態は複雑で高価であり，これらを利用することの現実的な有用性は非常に限られている。
【発明の開示】
【発明が解決しようとする課題】
【０００６】
本発明は，構造的及び機能的に有利にする具体的特徴を有するモジュラー式組立マットを提案する。
【課題を解決するための手段】
【０００７】
本発明のマットという物体は，基本的に，Ｕ字溝形状のベース形材と，嵌め込み結合により前記ベース形材に組み込まれるカバー形材と，からなり，前記カバー形材は，外面に，粗い形状の表面を特徴とするゴムなどの弾性材料の層が設けられている。
【０００８】
このようにして導入が容易な組立品が得られる。というのは，適用する場所にベース形材を設置するだけでよく，カバー形材は簡単な嵌め込みによってベース形材に組み込むことができるからである。また，必要となる掃除やメンテナンス，又は交換作業の際，このカバー形材を除去するには単に抜き取ればよい。
【０００９】
このようにして形成した組立品は，対応する寸法に構成部品の形材を切断することにより所望のあらゆる長さにすることができる。一方，ベース形材は側面に係合用形状部を有し，これによりベース形材を横方向に連続して結合できる。従って，あらゆる幅の構成品を形成することができ，マット組立品形成の外形寸法は完全に選択可能である。
【００１０】
スポンジシートがベース形材の下に配置され，このスポンジシートが，マットが鳴り響くことを防止し導入場所への座りを良くする衝撃吸収材となる。前記シートの構成は横方向に配置された細長い片であり，マット構造におけるベース形材の結合が前記細長い片で固定され，組立品は強化されて構成部品の形材の結合の度合いを強化する。
【発明の効果】
【００１１】
以上のことから，本発明のマットという物体は，その独自性を与える独特の特徴を有し，同じ利用形態について知られている加工品及び組立品として，好ましい特徴を有している。
【発明を実施するための最良の形態】
【００１２】
本発明の目的は，長さ及び幅のあらゆる寸法で発展的な実施形態を可能にし，独特の構造及び組立品の特徴を有するモジュール構成のマットに関する。
【００１３】
提案されたマットは，基本的に，ベース形材（１）とカバー形材（２）で構成され，図１及び２に従ってカバー形材（２）をベース形材（１）にはめ込むことにより結合する。
【００１４】
このため，ベース形材（１）はＵ字溝形状であり，内側に向けて折れた又は厚みを持たせた上縁（１．１）を有する。一方，カバー形材（２）は，下面にジグザグ形のピン又はフランジ（２．１）を有し，組立品の結合部分において保持継目がベース形材（１）の上縁（１．１）に対して形成される。前記カバー形材（２）は，ベース形材（１）の底に接するピン又はフランジ（２．２）を更に有する。
【００１５】
カバー形材（２）の上面は，ゴムなどの合成物質の層（３）を組み込んでおり，この層は山形又は何らかの種類の突起の形状の粗い表面を有し，履物の底を擦りつけることにより汚れを落とすのに適した表面として特徴づけている。
【００１６】
こうして，導入が簡単な組立品を得ることができる。というのは，適用する場所にベース形材（１）を設置するだけでよく，後からカバー形材（２）を嵌め込むことにより組み込むことができるからである。この組立品は，単にベース形材（１）及びカバー形材（２）を対応する大きさに切断することにより，所望の長さに決定することができる。
【００１７】
カバー形材（２）は，さらに，単に抜き取ることにより簡単に素早く取り外すことができるため，必要なときにこのカバー形材（２）の手入れ及び掃除又は取替え作業を大変簡単に行うことができる。
【００１８】
実用的な実施形態において，ベース形材（１）は相互に対応する側面形状部（４及び５）を有するように形成され，所望の幅の構成を形成するように，連続したベース形材（１）との間の係合により結合することが可能である。これにより，連続した同一のベース形材（１）及びこれに組み込む対応するカバー形材（２）の縦方向の寸法を切断することと組み合わせて，あらゆる大きさのマットを形成することができる。
【００１９】
ベース形材（１）の相互に対応する側面形状部（４及び５）は，本発明の概念を変更することなく様々な形状をとり得る。例えば，図３〜６に示すように，形状部（４及び５）がベース形材（１）を保持する結合を作り出すもの，又は図７に示すように，一方の形状部（５）が押し込まれており，ベース形材（１）の形状部（５）がある側に突出した部分がないようにして，導入場所の垂直な壁に接するように配置できるようにしたもの，又は図８に示すように，形状部（４及び５）がスナップ式の結合を作り出すようにしたものがある。
【００２０】
しかしながら，前記実施形態はこれらに限定されるものではない。なぜなら，連続したベース形材（１）を互いに固定するために接合させるという同じ概念で，形状部（４及び５）は様々な形状をとり得るからである。
【００２１】
スポンジシート（６）などをマット組立品の下に配置すれば，このスポンジシートによりベース形材（１）が支持される。こうして，このシート（６）は，マットが踏まれたときに鳴り響くことを防止する衝撃吸収材を形成する。
【００２２】
好ましい実施態様によれば，シート（６）はマット構造の横方向に配置された細長い片で形成され，この片によりシート（６）が，ベース形材（１）間の結合の強度を増強する手段を構成し，組立品をより強固にすることができる。
【００２３】
図９によれば，１つの実施態様では，ベース形材（１）の側面形状部（４及び５）の長さが連続したベース形材（１）を結合したとき，その間隔がそのベース形材（１）の内部空洞の幅と等しくなるようにする。これにより，対応する同一のカバー形材（２）を各ベース形材（１）及びベース形材（１）同士を隔てる隙間の両方に配置することができ，こうして連続的なマット表面を得ることができる。
【００２４】
この実施形態では，ベース形材（１）の上縁（１．１）は，内側と外側の両方に垂直の拡張部又は厚みを有してカバー形材（２）を支持する。一方，リブ（１．２）がベース形材（１）の底から側面係合用形状部（４及び５）の高さまで立ち上がり，いずれの場合でも同じ高さでフランジ（２．２）によってカバー形材（２）が支持されるようにして，カバー形材（２）を全て同一にすることができるようにしている。
【産業上の利用可能性】
【００２５】
本発明は，マットと呼ばれ，履物の底の汚れを落とすために床に設置する加工品に関する。
【図面の簡単な説明】
【００２６】
【図１】図１は，本発明のマットの組立品の，対応する部品が相関的な組立位置に分離されている状態を示す，断面図である。
【図２】図２は，図１の組立品が組み立てられた様子を示す断面図である。
【図３】図３は，側面係合用形状部を有するベース形材の例を示す断面図である。
【図４】図４は，図３のものと同様なベース形材を２つ横に並べて係合する際の組立挿入を示した詳細図である。
【図５】図５は，２つのベース形材を側面結合により結合し，組立品の座りのための下敷きシートを一点鎖線で示す図である。
【図６】図６は，図５と同様に結合した３つのベース形材を示す斜視図である。
【図７】図７は，別の実施形態による，側面結合により結合したベース形材を示した図である。
【図８】図８は，さらに別の実施形態による，側面結合により結合したベース形材を示した図である。
【図９】図９は，延長した側面係合用形状部を用いてベース形材を結合したマットの構成例であって，対応する同一のカバー形材を各ベース形材及びベース形材とベース形材の間に組み込んだ例を示した図である。
【符号の説明】
【００２７】
１  ベース形材
２  カバー形材
３  弾性材表面
４，５  係合用形状部
６  衝撃吸収シート
【図１】
2008526412.tif 000002
【図２】
2008526412.tif 000003
【図３】
2008526412.tif 000004
【図４】
2008526412.tif 000005
【図５】
2008526412.tif 000006
【図６】
2008526412.tif 000007
【図７】
2008526412.tif 000008
【図８】
2008526412.tif 000009
【図９】
2008526412.tif 000010